(57)【特許請求の範囲】
【請求項１】
羽根を駆動する電動機を端部に設けたスライドパイプと、このスライドパイプを上下動可能に支持する支持部と、この支持部の下端に設けた下方が開放した電装品収納部と、この電装品収納部の下面および側面を覆うように設けられる保護カバーと、この保護カバーの下部に一体に垂設される雄ねじ部と、この雄ねじ部の貫挿される開口部および前記保護カバーが嵌入する凹部を設けた基台と、前記開口部を貫挿した雄ねじ部と雄ねじ部に螺合する固定ナットよりなる固定手段とを備え、前記保護カバーの上端周縁に装飾リブを一体に形成し、前記装飾リブを前記基台の表面に配し、前記支持部を保護カバーに設けた装飾リブを介して基台に分離可能に取り付け、前記保護カバーをポリプロピレン等の弾性材料で形成してなる扇風機。
【請求項２】
保護カバーの色調を支持部または基台と異なるように設け、前記保護カバーの上端周縁に装飾リブを一体に形成し、前記装飾リブを前記基台表面に配してなる請求項１記載の扇風機。
【発明の詳細な説明】
【０００１】
【発明の属する技術分野】
本発明は、羽根を駆動する電動機を設けたスライドパイプを上下動可能に支持する支持部と基台が分離できる扇風機に関する。
【０００２】
【従来の技術】
近年、扇風機は流通段階で運搬・保管しやすいように、また使用者がオフシーズンに収納しやすいように、支持部と基台に分離可能として小型化を図る扇風機が普及している。
【０００３】
従来、この種の扇風機の一例として特許第３１３０１６４号公報に記載されたものが知られている。
【０００４】
以下、その扇風機について図６および図７を参照しながら説明する。
【０００５】
図に示すように、先端に電動機１０１を備えたスライドパイプ１０２を上下動自在に支持する支柱１０３と、支柱１０３を着脱可能に支持する基台１０４と、支柱１０３の下端に設けた挿入部１０５に下方に突設して設けられる雄ねじ部１０６と、雄ねじ部１０６に螺合する固定ナット１０７と、基台１０４に設けた凹部１０８に設けられる雄ねじ部１０６が挿入される丸穴１０９とを備え、丸穴１０９に挿入された雄ねじ部１０６に螺合する固定ナット１０７により支柱１０３と基台１０４とを固定するものであった。
【０００６】
【発明が解決しようとする課題】
このような従来の扇風機では、支柱１０３が直接基台１０４に固定されているため支柱１０３に上下動自在に設けたスライドパイプ１０２の先端に設けられている電動機１０１の振動が支柱１０３を介して基台１０４に伝達され、床面に載置されている基台１０４ががたがたと振動し、使用者に不快感を与えるという課題があり、基台１０４に伝達される振動を少なくすることが要求されている。
【０００７】
本発明は、このような従来の課題を解決するものであり、電動機の振動が基台に伝達するのを緩和できる扇風機を提供することを目的としている。
【０００８】
【課題を解決するための手段】
本発明の扇風機は上記目的を達成するために、羽根を駆動する電動機を端部に設けたスライドパイプと、このスライドパイプを上下動可能に支持する支持部と、この支持部の下端に設けた下方が開放した電装品収納部と、この電装品収納部の下面および側面を覆うように設けられる保護カバーと、この保護カバーの下部に一体に垂設される雄ねじ部と、この雄ねじ部の貫挿される開口部および前記保護カバーが嵌入する凹部を設けた基台と、前記開口部を貫挿した雄ねじ部と、雄ねじ部に螺合する固定ナットよりなる固定手段とを備え、前記保護カバーの上端周縁に装飾リブを一体に形成し、前記装飾リブを前記基台の表面に配し、前記支持部を保護カバーに設けた装飾リブを介して基台に分離可能に取り付け、前記保護カバーをポリプロピレン等の弾性材料で形成してなる構成としたものである。
【０００９】
本発明によれば、電動機の振動が基台に伝達するのを緩和できる扇風機が得られる。
【００１０】
【発明の実施の形態】
本発明は、羽根を駆動する電動機を端部に設けたスライドパイプと、このスライドパイプを上下動可能に支持する支持部と、この支持部の下端に設けた下方が開放した電装品収納部と、この電装品収納部の下面および側面を覆うように設けられる保護カバーと、この保護カバーの下部に一体に垂設される雄ねじ部と、この雄ねじ部の貫挿される開口部および前記保護カバーが嵌入する凹部を設けた基台と、前記開口部を貫挿した雄ねじ部と雄ねじ部に螺合する固定ナットよりなる固定手段とを備え、前記保護カバーの上端周縁に装飾リブを一体に形成し、前記装飾リブを前記基台の表面に配し、前記支持部を保護カバーに設けた装飾リブを介して基台に分離可能に取り付け、前記保護カバーをポリプロピレン等の弾性材料で形成してなる構成としたものであり、保護カバーの弾性を利用して保護カバーを電装品収納部の周辺に嵌合し取り付けることができ、保護カバーの取付性が向上するとともに、電動機で発生した振動はスライドパイプより支持部に伝達されるが、支持部は弾性材料で形成された保護カバーを介して基台に取り付けられていることにより防振効果が高まり、支持部に伝わった振動は保護カバーにより減衰され、基台に伝わる振動は低減されることとなる。
【００１１】
以下、本発明の実施例について図面を参照しながら説明する。
【００１２】
【実施例】
（実施例１）
図１〜図５に示すように、スライドパイプ３の上端部に羽根１を駆動する電動機２を設け、支持部４はこのスライドパイプ３を上下動可能に支持している。支持部４の下端に下方が開放し、基板やリード線等の電装品５を収納するように電装品収納部６を略舟形に一体に形成している。保護カバー７は電装品収納部６の下面および側面を覆うような肉厚約２ｍｍの舟形の椀状で、電装品収納部６に収納された電装品５が透視できる透明または半透明のポリプロピレン等の弾性を有する材料で形成されている。また保護カバー７は電装品収納部６にねじ等により取り付けられ、雄ねじ部８が下部に一体に垂設されている。
【００１３】
基台１１は保護カバー７の嵌入する凹部１０を設け、底部に補強用金属製の底板１１を設け、底板１１に開口部９を形成している。保護カバー７の下部に一体に設けた雄ねじ部８と、この雄ねじ部８に着脱自在に螺合する固定ナット１３によりなる固定手段１４とを備えている。
【００１４】
そして、保護カバー７の一端部となる雄ねじ部８の位置より遠い側の端部に係合孔１５を設け、係合孔１５が係合する爪状の係合部１６を基台１２の凹部１０内に設け、係合孔１５と係合部１６とにより係合手段１７を形成している。
【００１５】
また、保護カバー７の色調は支持部４または基台１２と異なる色調として保護カバー７の上端周縁に装飾的効果をもたらす装飾リブ１８を一体に形成し、基台１２の凹部１０上部に設けた段部１０ａに係合させている。
【００１６】
上記構成において、扇風機の組立時には、スライドパイプ３を支持している支持部４に一体的に設けられた電装品収納部６の底部側を覆うように保護カバー７を設けた主体部分を基台１２に組み合わせる。このとき、保護カバー７に設けた係合孔１５を基台１２に設けた爪状の係合部１６に係合して仮固定したのち、保護カバー７の雄ねじ部８を基台１２に設けた開口部９に合わせ保護カバー７を基台１２の凹部１０に嵌入したのち、開口部９を貫挿した雄ねじ部８に固定ナット１３を螺合し、支持部４を係合孔１５と係合部１６とからなる係合手段１７、および雄ねじ部８と固定ナット１３からなる固定手段１４により固定する。このとき支持部４は保護カバー７を介して基台１２に取り付けられて組立てられ、基台１２の表面には保護カバー７の上端縁に設けた装飾リブ１８が配されることとなる。
【００１７】
そして、支持部４が基台１２に組立てられたのち、保護ガード１９および羽根１を取り付け扇風機が完成される。
【００１８】
このように本発明の実施例１の扇風機によれば、羽根１を駆動する電動機２を端部に設けたスライドパイプ３を上下動可能に支持する支持部４と、支持部４の下端に設けた下方が開放した電装品収納部６と、電装品収納部６の下面および側面を覆うように設けられる保護カバー７と、保護カバー７の下部に一体に垂設される雄ねじ部８と、雄ねじ部８の貫挿される開口部９および保護カバー７が嵌入する凹部１０を設けた基台１２と、開口部を貫挿した雄ねじ部８と雄ねじ部８に螺合する固定ナット１３よりなる固定手段１４とを備え、支持部４を保護カバー７を介して基台１２に分離可能に取り付けたので、扇風機が運転されたときには、電動機２または羽根１の回転により発生した振動はスライドパイプ３より支持部４に伝達されるが、支持部４の振動は保護カバー７に吸収され基台１２に伝達される振動が緩衝され、基台１２に伝わる振動は低減されることとなる。
【００１９】
また、保護カバー７の一端部となる雄ねじ部８の位置より遠い側の端部に係合孔１５を設け、係合孔１５が係合する爪状の係合部１６を基台１２の凹部１０内に設け、係合孔１５と係合部１６とにより係合手段１７を形成し、係合手段１７と固定手段１４により支持部４を基台１２に取り付けるので、支持部４を基台１２に取り付けるときに係合手段１７により初めに支持部４が基台１２に仮固定され、次に固定手段１４により固定されることとなり組立作業性が向上する。
【００２０】
また係合手段１７により保護カバー７の端部が基台１２より浮き上がるのが防止され、製品価値の低下および振動の発生を防止できるとともに、支持部４と基台１２の固定をより確実に行うことができる。
【００２１】
なお、本実施例では保護カバー７に係合孔１５を設けたが、係合孔を電装品収納部６の端部に設けて基台１２の係合部１６と係合するようにしてもよい。
【００２２】
また、保護カバー７をポリプロピレン等の軟質性で弾性を有する樹脂材料で形成したので、支持部４の下部に設けた電装品収納部６に保護カバー７を取り付けるときに、電装品収納部６の周辺形状と保護カバー７の上縁形状が少し歪んでいても、保護カバー７の弾性を利用して保護カバー７を電装品収納部６の周辺に嵌合し取り付けることができ、保護カバー７の取付性が向上するとともに、防振効果が高まり、電動機２で発生した振動が基台１２に伝わるのが低減される。また、電装品収納部６に収納されている電装品５に対する絶縁保護も向上する。
【００２３】
また、保護カバー７を電装品収納部に収納される電装品の状態で透視して判明できるように、透視可能な透明または半透明に形成したので、電装品収納部６への電装品５組み込み後において、保護カバー７を通して電装品５の状態が透視でき、リード線等が保護カバー７の取り付け時に噛み込まれているような配線不良が判明でき、電装品５の正常状態の確認が容易にできる。
【００２４】
また、保護カバー７の色調を支持部４または基台１２と異なる色に形成し、保護カバー７の上端縁に装飾リブ１８を一体に設け、支持部４を基台１２に組み合わせたときに装飾リブ１８が基台１２の表面に露出して基台１２の表面に配されるので、装飾部品を別個に設けなくてもデザイン性が向上するとともに、別個に装飾部品を製作したり取り付けたりする手間が省け、コストおよび取付作業工数の低減を行うことができる。また、装飾リブ１８は保護カバー７の側壁の断面よりさらに広く形成されることにより防振効果がさらに高められることとなる。
【００２５】
【発明の効果】
以上の実施例から明らかなように、本発明によれば羽根を駆動する電動機を端部に設けたスライドパイプと、このスライドパイプを上下動可能に支持する支持部と、この支持部の下端に設けた下方が開放した電装品収納部と、この電装品収納部の下面および側面を覆うように設けられる保護カバーと、この保護カバーの下部に一体に垂設される雄ねじ部と、この雄ねじ部の貫挿される開口部および前記保護カバーが嵌入する凹部を設けた基台と、前記開口部を貫挿した雄ねじ部と雄ねじ部に螺合する固定ナットよりなる固定手段とを備え、前記保護カバーの上端周縁に装飾リブを一体に形成し、前記装飾リブを前記基台の表面に配し、前記支持部を保護カバーに設けた装飾リブを介して基台に分離可能に取り付け、前記保護カバーをポリプロピレン等の弾性材料で形成してなる構成としたので、電動機の振動が基台に伝わるのを低減することができ、防振効果の向上および保護カバーと電装品収納部との組立嵌合性の向上が図れるという扇風機を提供できる。
【００２６】
また、保護カバーの色調を支持部または基台と異なるように設け、前記保護カバーの上端周縁に装飾リブを一体に形成し、前記装飾リブを前記基台表面に配したので、装飾部品を別個に設けることなくデザイン性を向上することができるとともに防振効果を高めることができる。
【図面の簡単な説明】
【図１】  本発明の実施例１の扇風機の構成を示す断面図
【図２】  同扇風機の外観斜視図
【図３】  同扇風機の分解斜視図
【図４】  同扇風機の固定手段を示す要部斜視図
【図５】  同扇風機の電装品の配設状態を示す裏面図
【図６】  従来の扇風機の分解斜視図
【図７】  同要部断面図
【符号の説明】
１    羽根
２    電動機
３    スライドパイプ
４    支持部
５    電装品
６    電装品収納部
７    保護カバー
８    雄ねじ部
９    開口部
１０  凹部
１２  基台
１３  固定ナット
１４  固定手段
１５  係合孔
１６  係合部
１７  係合手段
１８  装飾リブ
【図１】
0004201073.tif 000002
【図２】
0004201073.tif 000003
【図３】
0004201073.tif 000004
【図４】
0004201073.tif 000005
【図５】
0004201073.tif 000006
【図６】
0004201073.tif 000007
【図７】
0004201073.tif 000008